(57)【要約】【課題】  様々な物品が収納された袋や密封用ジッパー機能の付いた袋を開封する場合、ハサミや刃物を使用するか、予め切断位置を示す切り込みを手でちぎって開封していた。これらの方法では、袋の切り口の前面と背面とが同一の形状のまま密着状態になり、袋の開封が困難であった。【解決手段】  本発明は、開封した袋の切開形状が袋の表側または裏側のいずれか片面だけを横一文字に切開し、従来のように袋の一部分を切り取ってしまうことはせず、袋の原型はそのままのこすことを可能とし、ジッパーが閉じていても指で袋を開くのが簡単にできるようにした。【選択図】図１
2007119056.tif 000002
【特許請求の範囲】
【請求項１】
基体Ａ１２と基体Ｂ１３とからなる開封器において、前記基体Ａ１２に刃１を設け、前記基体Ａ１２の挟持面３と前記基体Ｂ１３の挟持面４で袋Ｈの切り口部Ｋを挟んで前記基体Ａ１２と前記基体Ｂ１３を閉じ袋Ｈの切り口部Ｋを切開中、前記刃１の刃先２が袋Ｈの背面側切り口９を貫通し、そして前記刃先２が前記貫通し出たその位置と、前記挟持面４との二つに挟まれた間の何れかの位置にあることを特徴とする開封器。
【請求項２】
基体Ａ１２と基体Ｂ１３とからなる開封器において、前記基体Ａ１２に刃１を設け、前記基体Ａ１２の挟持面３と前記基体Ｂ１３の挟持面４で袋Ｈの切り口部Ｋを挟んで前記基体Ａ１２と前記基体Ｂ１３を閉じ袋Ｈの切り口部Ｋを切開中、前記刃１の刃先２が袋Ｈの背面側切り口９を貫通し、そして前記刃先２が前記貫通し、出たその位置から前記前面側切り口８の中のいずれかの位置にあることを特徴とする開封器。
【請求項３】
前記基体Ａ１２と基体Ｂ１３とが連結具５を介して取り付けられていることを特徴とした請求項１〜２記載の開封器。
【請求項４】
基体Ａ１２か基体Ｂ１３のいずれか、または基体Ａ１２と基体Ｂ１３の両方に凹面状ジッパーガイド６、６’を設けたことを特徴とする請求項１〜３記載の開封器。
【発明の詳細な説明】
【技術分野】
【０００１】本発明は、カッター刃で袋を切り開く開封器に関する。
【背景技術】
【０００２】従来、袋を開封するためのカッターとしてハサミや、カッター刃を備えた袋開封器で袋の開封位置から先を切り取っていた。
特許公開平０７−２８４５７４号公報  特許公開２００２−２２４４７１号公報
特許公開２００１−１９８３６８号公報  特許公開２００１−１２０８６１号公報
特許公開平１１−３３３１５４号公報  特許公開平１１−００１０９６号公報
【発明の開示】
【発明が解決しようとする課題】
【０００３】  密封用ジッパーが付いた袋を開封する場合、ハサミや刃物を使用して、切断位置を示す切り込みを切り取っていた。この従来方法ではジッパーが閉じていると袋の切り口の表面と裏面とが同じ形状で密着状態になり、袋を開く際に指先を入れる隙間が無く、袋を開くのが非常に困難であった。
【課題を解決するための手段】
【０００４】  本発明は、開封した袋の切開形状が袋の表側または裏側のいずれか片面だけを横一文字に切開し、従来のように袋の一部分を切り取ってしまうことはせず、袋の原型をそのまま残すことを可能とし、袋を開くのを簡単にした。
【発明の効果】
【０００５】  従来の方法は袋の切り口の表側と裏側が同一の形状で密着状態になり切り取った後ジッパーが閉じていると指で開くのが非常に困難であった。本発明は袋の切開位置の表側又は裏側のいずれかの片面側のみを横一文字に切開するものであって、従来のように袋の先端部を切り取らない。本開封器では袋の形状を原型のまま残し、指先のつまみ動作が容易でジッパーの開封が簡単にできる。さらに開封した袋の整理整頓も簡単でにできる。
【発明を実施するための最良の形態】
【０００６】  以下、本発明を図１、２、３、４、５、６、７を用いて説明すれば、図１は本発明の実施例を示す斜視図である。図２は本発明の一例の説明基本図である。
まず図２、図３を用いて基本的な詳細説明をする。基体Ａ１２に刃１を取り付ける（以後刃１を取り付けた基体を基体Ａとする）。そして該基体Ａ１２に対向する基体Ｂ１３（以後基体Ａに向き合う基体を基体Ｂとする）を設ける。
上記で基体Ａ１２の挟持面３と基体Ｂ１３の挟持面４で袋Ｈの切り口部Ｋ（図３参照）を挟んだ際（図２）、刃１の刃先２が袋Ｈの背面側切り口９（図面説明上袋の裏表に関係なく基体Ａ１２に接する側の切り口を背面側切り口９とする）を貫通し、該貫通した刃先２の位置が前面側切り口８（図面説明上袋の裏表に関係なく基体Ｂ１３に接する側の切り口を前面側切り口８とする）の中のいずれかの位置とし、または、前記刃先２が貫通し、前記出たその位置から前記挟持面４との二つに挟まれたいずれかの位置とした構造とする。前記で、前記切り口部Ｋを挟んだ状態で袋Ｈを切り口部Ｋに添わせてスライドすれば前記背面側切り口９を横一文字に切開する。しかし前記前面側切り口８は刃先２が貫通していないから切り込み傷はつくが切開されない。だから本発明では従来のように袋の切り取り線から先を全部取り除いてしまうようなことはしない。前記に於いて基体Ａ１２を折り曲げ自在な連結具５を介して基体Ｂ１３に取り付けるとさらによい。【０００７】  又、図４と図５に示すように凹面状のジッパーガイドを基体Ａ１２と基体Ｂ１３のいずれか、又は、両基体に設けるとよい。これによる効果は切り口部Ｋ切開のため両基体を閉じると該ジッパーガイド６と６’でジッパー７を挟み込む。前記状態で袋をスライド（参照図６、袋スライド方向）させれば該袋Ｈは前記ジッパー７に添って真っ直ぐ移動する。だから切り口部Ｋの背面側切り口９はジッパーに沿って直線的に切開されジグザクにならない。
図５は図４のものに袋Ｈの切り口部Ｋとジッパー７を挟んだ状態を示す図である。【０００８】  さらに、図４のように挟持面３または挟持面４の何れか、又は挟持面３と挟持面４の両方を凸面状とするとよい。このようにすると次の効果がある。即ち、袋Ｈの形状の違いによっては切り口部Ｋが該切り口部Ｋの両側面より凹面状にくぼんでいる形のものがある。この前記形状の袋Ｈに対応するために挟持面を凸面状にするとよい。また凸面状にすることで挟持面と袋の接触面積が減って接触抵抗を減少させ袋Ｈをスムースにスライドする効果もある。【０００９】  また、鋏の柄に基体Ａ１２と基体Ｂ１３を設け、そして該柄に本発明の刃１、挟持面４、挟持面３を設け、本開封器つき鋏としてもよい。さらに、シャープペンシル、万年筆状のものの蓋と、該蓋に取り付けられたクリップを基体Ａ１２、基体Ｂ１３とし、これに、本発明の刃１、挟持面４、挟持面３を設け、本開封器とする。等同じ効果が得られるものは全てが含まれるのは当然である。【００１０】  前記連結具５は支点軸を用いる方法や、弾性体を用いるなど考えればいろいろある。
さらに、本開封器はジッパーのついていない袋に使用しても同様の効果があるからジッパー付き袋専用でないのも当然である。【００１１】  図８は、本発明の開封器で開封した袋である。図９は、従来の方法で切り取った袋の図である。
以上が本発明の基本構成である。
【実施例】
【００１２】  本発明の実施の形態について図１、３、４、５、６、７を参照して詳細に説明する。図１中、基体Ａ１２と基体Ｂ１３は蝶番を介して開閉自在に取り付けられ開封器を構成している。この基体Ａ１２と基体Ｂ１３は、本例ではともに長方形の合成樹脂からなっていて、前記基体Ａ１２と基体Ｂ１３の先端部に、それぞれ凹面状のジッパーガイド６、６‘および凸面状の挟持面３、４を形成している。そして前記基体Ａ１２の挟持面３上には刃１が内向きに固着されている（図５参照）。【００１３】  又、図４と図５に示すように凹面状のジッパーガイド６と６’を基体Ａ１２と基体Ｂ１３に設けている。これによる効果は背面側切り口９切開のため両基体を閉じると該ジッパーガイド６と６’でジッパー７を挟み込む。前記状態で袋をスライド（参照図６、袋スライド方向）させれば該袋Ｈは前記ジッパー７に添って真っ直ぐ移動する。だから切り口部Ｋの背面側切り口９はジッパーに沿って直線的に切開されジグザクにならない。図５は図４のものに挟持面３と挟持面４で袋Ｈの切り口部Ｋを挟み、ジッパーガイド６とジッパーガイド６‘でとジッパー７を挟んだ状態を示す図である。【００１４】  さらに、図４のように、挟持面３と挟持面４の両方を凸面状の挟持面としている。【００１５】  図６は本実施例の平面図である。図７は本実施例の側面図である。【００１６】  以下本実施例の使用方法を説明する。
（１）一側の手で本開閉器を持ち基体Ａ１２、Ｂのジッパーガイド６，６‘で袋Ｈのジッパー７を挟む。
（２）他側の手で袋Ｈを持って袋スライド方向矢印（図３参照）に引くと袋Ｈの背面側切り口９を横一文字に切開する。【００１７】  図８は本発明の開封器で切開した状態を示す袋の図である。図９は従来の方法で切り取った袋の状態を示す図である。
【図面の簡単な説明】
【００１７】
【図１】  本発明の実施の形態を示す斜視図である。
【図２】  本発明の基本部分を示す説明図である。
【図３】  ジッパー付きの袋Ｈの主要部分を示す斜視図である。
【図４】  図３にジッパーガイドと挟持面４、挟持面３を設けた図。
【図５】  図４で袋Ｈを挟んだ図。
【図６】  本実施例の平面図である。
【図７】  本実施例の正面図で基体Ａ１２と基体Ｂ１３を開いた図。
【図８】  本発明の開封器で切開した袋。
【図９】  従来の方法で切り取った袋。
【符号の説明】
１      刃
２      刃先
３      挟持面
５      連結具
６      ジッパーガイド
１２    基体Ａ
１３    基体Ｂ
【図１】
2007119056.tif 000003
【図２】
2007119056.tif 000004
【図３】
2007119056.tif 000005
【図４】
2007119056.tif 000006
【図５】
2007119056.tif 000007
【図６】
2007119056.tif 000008
【図７】
2007119056.tif 000009
【図８】
2007119056.tif 000010
【図９】
2007119056.tif 000011